(57)【要約】【課題】プロジェクター等の装置を容易に運搬することができる把持具及びプロジェクターを提供すること。【解決手段】装置に取り付けられる把持具であって、略同一方向に延出する２つの延出部と、前記２つの延出部のそれぞれ一方の端部を接続する接続部と、を有する本体部と、前記２つの延出部において、前記接続部と異なる位置を接続して補強する補強部と、を備え、本体部及び補強部は、当該装置に当該把持具を取り付ける取付部をそれぞれ有する把持具。【選択図】図６
2017129841.tif 000002
【特許請求の範囲】
【請求項１】
装置に取り付けられる把持具であって、
略同一方向に延出する２つの延出部と、前記２つの延出部のそれぞれ一方の端部を接続
する接続部と、を有する本体部と、
前記２つの延出部において、前記接続部と異なる位置を接続して補強する補強部と、を
備え、
前記本体部及び前記補強部は、当該装置に当該把持具を取り付ける取付部をそれぞれ有
することを特徴とする把持具。
【請求項２】
請求項１に記載の把持具において、
前記本体部は、前記装置から離れる方向に湾曲する湾曲部を有することを特徴とする把
持具。
【請求項３】
請求項１又は請求項２に記載の把持具において、
前記装置は、設置面に当接する複数の脚部を備え、
前記本体部は、前記装置から取り外された前記複数の脚部を固定する固定部を有するこ
とを特徴とする把持具。
【請求項４】
請求項１から請求項３のいずれか一項に記載の把持具において、
前記装置は、外装筐体内に金属枠体を備え、
前記把持具は、前記金属枠体に固定されることを特徴とする把持具。
【請求項５】
プロジェクターであって、
光源装置と、前記光源装置から出射された光を変調する光変調装置と、前記光変調装置
により変調された光を投射する投射光学装置と、前記光源装置、前記光変調装置及び前記
投射光学装置を収容する外装筐体と、を有する装置と、
請求項１から請求項４のいずれか一項に記載の把持具と、を備え、
前記外装筐体は、
当該プロジェクターの設置面に対向する底面部と、
前記底面部と反対方向側に位置する天面部と、を有し、
前記天面部及び前記底面部の少なくとも一方に前記把持具が取り付けられていることを
特徴とするプロジェクター。
【発明の詳細な説明】
【技術分野】
【０００１】
本発明は、把持具及びプロジェクターに関する。
【背景技術】
【０００２】
従来、液晶プロジェクター等の可搬機器に設けられた可搬機器用把手が知られている（
例えば、特許文献１参照）。
上記特許文献１に記載の可搬機器の上面の左右それぞれには、凹部が設けられ、当該凹
部に略コの字状に形成された把手がそれぞれ設けられている。これにより、当該液晶プロ
ジェクター等の可搬機器の重量に応じて、上記把手を１人若しくは２人で把持することに
より、当該可搬機器を持ち運ぶことができる。
【先行技術文献】
【特許文献】
【０００３】
【特許文献１】特開平０９−３２６５６９号公報
【発明の概要】
【発明が解決しようとする課題】
【０００４】
ところで、特許文献１に記載の可搬機器用把手（把持具）は、当該可搬機器の略中央部
分に設けられる場合が多く、かつ、上記把手は、１人が把持できる大きさ（１人の握り拳
程度の大きさ）である。このため、例えば、プロジェクター等の可搬機器の重量が大人１
人分相当以上あるような場合であっても、当該把持具を用いた場合、１人若しくは２人で
当該可搬機器を運搬する必要がある。このような場合、当該可搬機器を１人若しくは２人
で運ぶことは、極めて困難である。仮に４人で当該可搬機器を運搬する場合、上記把持具
は２人までしか把持することができない。すなわち、少なくとも他の２人は把持具を把持
することができないので、当該可搬機器を容易に運搬できないという問題がある。
すなわち、３人以上の人が同時に把持でき、かつ、プロジェクター等の可搬機器（装置
）を容易に運搬することができる把持具及びプロジェクターが要望されている。
【０００５】
本発明は、上記課題の少なくとも１つを解決することを目的とするものであり、プロジ
ェクター等の装置を容易に運搬することができる把持具及びプロジェクターを提供するこ
とを目的とする。
【課題を解決するための手段】
【０００６】
本発明の第１態様に係る把持具は、装置に取り付けられる把持具であって、略同一方向
に延出する２つの延出部と、前記２つの延出部のそれぞれ一方の端部を接続する接続部と
、を有する本体部と、前記２つの延出部において、前記接続部と異なる位置を接続して補
強する補強部と、を備え、前記本体部及び前記補強部は、当該装置に当該把持具を取り付
ける取付部をそれぞれ有することを特徴とする。
【０００７】
上記第１態様では、把持具の取付部により、当該把持具が装置に装着された際に、２つ
の延出部及び接続部が当該装置の異なる３方向のそれぞれに位置するので、当該３方向に
位置する２つの延出部及び接続部を複数のユーザー（例えば、３人以上のユーザー）が把
持できる。これによれば、装置の重量が、大人１人分相当以上あるような場合であっても
、３人以上のユーザーが上記把持部を把持して運搬できるので、容易に装置を運搬できる
。
また、例えば、上記装置がプロジェクターであり、当該装置に投射光学装置が設けられ
ている場合に、接続部とは反対方向側に当該投射光学装置が位置するように把持具を装置
に装着すれば、投射光学装置の投射方向に把持具の本体部が位置することが無いので、投
射光学装置から投射される投射画像を確実に被投射面に投射できる。
更に、略同一方向に延出する２つの延出部において、接続部と異なる位置を接続する補
強部を備えているので、上記補強部が無い場合に比べて、把持具の耐久性を向上させるこ
とができる。
【０００８】
上記第１態様では、前記本体部は、前記装置から離れる方向に湾曲する湾曲部を有する
ことが好ましい。
ここで、湾曲部は、本体部の端部より中央側の位置に配置されていることがより好まし
い。
上記第１態様によれば、本体部の少なくとも一部に設けられた湾曲部が上記装置から離
間する方向に湾曲していることから、当該湾曲部及び上記装置との隙間が大きくなるので
、当該隙間が大きい部分を複数のユーザーが把持し、装置を容易に運搬できる。
一方、湾曲部は、本体部の端部より中央側の位置に配置されている場合には、湾曲部よ
り端部側の位置をユーザーが把持できるため、当該把持具を把持しやすくすることができ
る。
【０００９】
上記第１態様では、前記装置は、設置面に当接する複数の脚部を備え、前記本体部は、
前記装置から取り外された前記複数の脚部を固定する固定部を有することが好ましい。
上記第１態様によれば、本体部に装置から取り外された複数の脚部を装着できる。例え
ば、装置の天面部及び当該天面部と反対方向に位置する底面部のそれぞれに上記把持具が
装着された場合、当該それぞれの把持具に脚部を装着できる。この場合、例えば、当該装
置がプロジェクターであり、当該装置の投射方向を上向き投射、ポートレート投射等を実
行する際に、本体部の設置面に当接する部位に脚部を装着することにより、安定して装置
から投射画像を投射できる。
【００１０】
上記第１態様では、前記装置は、外装筐体内に金属枠体を備え、前記把持具は、前記金
属枠体に固定されることが好ましい。
上記第１態様によれば、金属枠体に把持具が固定されるので、例えば、合成樹脂等によ
り構成される外装筐体に把持具が固定される場合に比べて、確実に把持具を装置に固定で
きる。従って、装置の運搬時に装置の外装筐体が破損し、当該装置と把持具との固定が解
かれ、落下等により装置が破損することを抑制できる。
【００１１】
本発明の第２態様に係るプロジェクターは、プロジェクターであって、光源装置と、前
記光源装置から出射された光を変調する光変調装置と、前記光変調装置により変調された
光を投射する投射光学装置と、前記光源装置、前記光変調装置及び前記投射光学装置を収
容する外装筐体と、を有する装置と、上記把持具と、を備え、前記外装筐体は、当該プロ
ジェクターの設置面に対向する底面部と、前記底面部と反対方向側に位置する天面部と、
を有し、前記天面部及び前記底面部の少なくとも一方に前記把持具が取り付けられている
ことを特徴とする。
【００１２】
上記第２態様によれば、上記第１態様に係る把持具と同様の効果を奏することができる
。また、装置の天面部及び底面部の少なくともいずれかに把持具が取り付けられるので、
プロジェクターの用途に合わせて、把持具を装着する位置を選択できる。
【図面の簡単な説明】
【００１３】
【図１】本発明の一実施形態に係るプロジェクターの外観斜視図。
【図２】上記実施形態に係るプロジェクターの概略構成を示す概略図。
【図３】上記実施形態に係るプロジェクターのハンドルを取り外した装置の外観斜視図。
【図４】上記実施形態に係る装置を底面部から見た平面図。
【図５】上記実施形態に係る外装筐体内に配置される金属枠体の斜視図。
【図６】上記実施形態に係る装置に取り付けられるハンドルの平面図。
【図７】上記実施形態に係るハンドルの６面図。
【図８】上記実施形態に係る装置の底面部にハンドルが取り付けられたプロジェクターを示す斜視図。
【図９】上記実施形態に係る装置の天面部及び底面部にハンドルが取り付けられたプロジェクターを示す斜視図。
【図１０】図９に示すプロジェクターのハンドルに装置の脚部が取り付けられた状態を示す斜視図。
【図１１】ポートレート投射を行うプロジェクターのハンドルに装置の脚部が取り付けられた状態を示す斜視図。
【図１２】上記実施形態に係るプロジェクションシステムを示す斜視図。
【発明を実施するための形態】
【００１４】
以下、本発明の一実施形態について、図面に基づいて説明する。
［プロジェクターの概略構成］
図１は、本実施形態に係るプロジェクター１の外観斜視図であり、図２は、プロジェク
ター１を構成する装置１０の構成を示す模式図である。
プロジェクター１は、図１及び図２に示すように、内部に設けられた光源から出射され
た光束を変調して画像情報に応じた画像を形成し、当該画像をスクリーンＳＣ１等の被投
射面上に拡大投射する表示装置である。このようなプロジェクター１は、装置１０と、当
該装置１０に取り付けられるハンドル９とにより構成される。
なお、ハンドル９の構成については、後述する。
【００１５】
この装置１０は、図２に示すように、外装筐体２と、当該外装筐体２内に収容される光
学ユニット３の他、図示を省略するが、当該装置１０を制御する制御装置、冷却対象を冷
却する冷却装置、及び当該装置１０を構成する電子部品に電力を供給する電源装置を備え
る。
また、外装筐体２内には、金属枠体２Ｅが収容されている。なお、外装筐体２及び金属
枠体２Ｅについて、詳しくは後述する。
【００１６】
［光学ユニットの構成］
光学ユニット３は、光源装置３１、色分離装置３２、平行化レンズ３３、複数の光変調
装置３４、色合成装置３５、及び投射光学装置３６を備える。
光源装置３１は、青色光を出射するレーザー光源及び当該レーザー光源から出射された
光を蛍光光に変換する蛍光体等を備え、当該光源装置３１から照明光ＷＬを出射する。
色分離装置３２は、光源装置３１から入射された照明光ＷＬを赤色光ＬＲ、緑色光ＬＧ
及び青色光ＬＢの３つの色光に分離する。この色分離装置３２は、ダイクロイックミラー
３２１，３２２、全反射ミラー３２３，３２４，３２５及びリレーレンズ３２６，３２７
を備える。
【００１７】
ダイクロイックミラー３２１は、光源装置３１からの照明光ＷＬから青色光ＬＢ及びそ
の他の色光（緑色光ＬＧ及び赤色光ＬＲ）を含む光を分離する。ダイクロイックミラー３
２１は、青色光ＬＢを透過させるとともに、緑色光ＬＧ及び赤色光ＬＲを含む上記光を反
射させる。
ダイクロイックミラー３２２は、ダイクロイックミラー３２１により分離された上記光
から緑色光ＬＧ及び赤色光ＬＲを分離する。具体的に、ダイクロイックミラー３２２は、
緑色光ＬＧを反射するとともに、赤色光ＬＲを透過させる。
【００１８】
全反射ミラー３２３は、青色光ＬＢの光路中に配置され、ダイクロイックミラー３２１
にて透過された青色光ＬＢを光変調装置３４（３４Ｂ）に向けて反射させる。一方、全反
射ミラー３２４，３２５は、赤色光ＬＲの光路中に配置され、ダイクロイックミラー３２
２を透過した赤色光ＬＲを光変調装置３４（３４Ｒ）に向けて反射させる。また、緑色光
ＬＧは、ダイクロイックミラー３２２にて、光変調装置３４（３４Ｇ）に向けて反射され
る。
リレーレンズ３２６，３２７は、赤色光ＬＲの光路の、ダイクロイックミラー３２２の
下流に配置されている。これらリレーレンズ３２６，３２７は、赤色光ＬＲの光路長が青
色光ＬＢや緑色光ＬＧの光路長よりも長くなることによる赤色光ＬＲの光損失を補償する
機能を有する。
【００１９】
平行化レンズ３３は、後述する光変調装置３４に入射する光を平行化する。なお、赤、
緑及び青の各色光用の平行化レンズを、それぞれ３３Ｒ，３３Ｇ，３３Ｂとする。また、
赤、緑及び青の各色光用の光変調装置を、それぞれ３４Ｒ，３４Ｇ，３４Ｂとする。
【００２０】
複数の光変調装置３４（３４Ｒ，３４Ｇ，３４Ｂ）は、ダイクロイックミラー３２１及
びダイクロイックミラー３２２により分離され、それぞれ入射される各色光ＬＲ，ＬＧ，
ＬＢを変調して、画像情報に応じた色画像を形成する。これら光変調装置３４は、入射さ
れる光を変調する液晶パネルにより構成される。なお、光変調装置３４Ｒ，３４Ｇ，３４
Ｂの入射側及び出射側にはそれぞれ、入射側偏光板３４１（３４１Ｒ，３４１Ｇ，３４１
Ｂ）及び出射側偏光板３４２（３４２Ｒ，３４２Ｇ，３４２Ｂ）が配置されている。
【００２１】
色合成装置３５には、各光変調装置３４Ｒ，３４Ｇ，３４Ｂからの画像光が入射される
。この色合成装置３５は、各色光ＬＲ，ＬＧ，ＬＢに対応した画像光を合成し、この合成
された画像光を投射光学装置３６に向けて出射させる。本実施形態では、色合成装置３５
は、クロスダイクロイックプリズムにより構成される。
投射光学装置３６は、色合成装置３５にて合成された画像光をスクリーンＳＣ１等の被
投射面に投射する。このような構成により、スクリーンＳＣ１に拡大された画像が投射さ
れる。
【００２２】
［プロジェクターの外観］
図３は、本実施形態に係る装置１０の外観を示す斜視図である。
装置１０の外装筐体２は、図３に示すように、略直方体形状に構成され、ロアーケース
２Ａ、アッパーケース２Ｂ、フロントケース２Ｃ及びバックケース２Ｄが組み合わされる
ことにより構成される。これら各ケース２Ａ〜２Ｄにより構成される外装筐体２は、天面
部２１、底面部２２、正面部２３、背面部２４、左側面部２５及び右側面部２６を備える
。なお、底面部２２は、天面部２１の反対方向側の面であり、右側面部２６は、左側面部
２５の反対方向側の面であり、正面部２３は、背面部２４の反対方向側の面である。
【００２３】
天面部２１は、他のプロジェクター（例えば、本実施形態に係るプロジェクター１と同
形状の装置、以下、プロジェクター１Ａという場合がある。）が積層された際に、当該プ
ロジェクター１Ａの脚部ＦＴの移動を規制する４つの起立部２１１（それぞれの起立部を
起立部２１１Ａ，２１１Ｂ，２１１Ｃ，２１１Ｄという場合がある。）と、ハンドル９及
び金属枠体２Ｅを固定するねじＳ１が挿通する複数の孔部２１２（それぞれの孔部を孔部
２１２Ａ，２１２Ｂ，２１２Ｃ，２１２Ｄ，２１２Ｅ，２１２Ｆという場合がある）と、
を備える。
【００２４】
底面部２２は、当該プロジェクター１を設置面に設置する際に当接する４つの脚部ＦＴ
（それぞれの脚部を脚部ＦＴ１，ＦＴ２，ＦＴ３，ＦＴ４という場合がある。）と、ハン
ドル９及び金属枠体２Ｅを固定するねじＳ１が挿通する複数の孔部２２１（それぞれの孔
部を孔部２２１Ａ，２２１Ｂ，２２１Ｃ，２２１Ｄ，２２１Ｅ，２２１Ｆという場合があ
る）と、を備える（図４参照）。
また、正面部２３の略中央部分には、開口部（図示省略）を介して投射光学装置３６の
一部が露出しており、当該投射光学装置３６により上記画像が投射される。
【００２５】
なお、以下の説明では、光源装置３１から出射される光の進行方向を＋Ｚ方向とし、当
該＋Ｚ方向にそれぞれ直交し、かつ、互いに直交する方向を＋Ｘ方向及び＋Ｙ方向とする
。本実施形態では、＋Ｚ方向は、背面部２４から正面部２３に向かう方向であるので、＋
Ｙ方向を、上記底面部２２から天面部２１に向かう方向とし、＋Ｘ方向を、右側面部２６
から左側面部２５に向かう方向とする。すなわち、＋Ｘ方向は、プロジェクター１を天面
部２１側から平面視した場合に、投射光学装置３６による画像の投射方向と略直交する方
向となる。
【００２６】
［起立部の構成］
天面部２１は、図３に示すように、起立部２１１Ａ，２１１Ｂ，２１１Ｃ，２１１Ｄを
備える。これら起立部２１１Ａ〜２１１Ｄのそれぞれは、当該プロジェクター１に他のプ
ロジェクター１Ａが積層される際に、当該他のプロジェクター１Ａの脚部ＦＴの移動を規
制する。このため、起立部２１１Ａ〜２１１Ｄのそれぞれは、天面部２１における他のプ
ロジェクター１Ａの脚部ＦＴが配置される領域Ａｒ１，Ａｒ２，Ａｒ３，Ａｒ４の周囲に
設けられる。
【００２７】
これら起立部２１１Ａ〜起立部２１１Ｄは、天面部２１の外縁に沿って設けられている
。具体的に、起立部２１１Ａ，２１１Ｂは、天面部２１の外縁を構成する＋Ｘ方向側の一
辺に沿って設けられ、起立部２１１Ｃ，２１１Ｄは、天面部２１の外縁を構成する−Ｘ方
向側の一辺に沿って設けられている。
また、起立部２１１Ａは、上記＋Ｘ方向側の一辺の＋Ｚ方向側に位置し、起立部２１１
Ｂは、当該一辺の−Ｚ方向側に位置する。すなわち、起立部２１１Ａ，２１１Ｂは、天面
部２１の外縁を構成する＋Ｘ方向側の一辺の両端近傍に設けられている。一方、起立部２
１１Ｃは、上記−Ｘ方向側の一辺の＋Ｚ方向側に位置し、起立部２１１Ｄは、当該一辺の
−Ｚ方向側に位置する。すなわち、起立部２１１Ｃ，２１１Ｄは、天面部２１の外縁を構
成する−Ｘ方向側の一辺の両端近傍に設けられている。
【００２８】
これら起立部２１１Ａ〜２１１Ｄのそれぞれは、本体部２１１１及び傾斜面２１１２を
備える。本体部２１１１は、天面部２１から当該天面部から離れる方向（＋Ｙ方向）に突
出する起立部であり、略Ｕ字状（略半円形状）に形成されている。換言すると、本体部２
１１１は、後述する円柱状の脚部ＦＴの周縁の一部に沿う形状であり、天面部２１の外縁
に向けて開く形状である。
【００２９】
［脚部の構成］
図４は、プロジェクター１を−Ｙ方向側から見た平面図である。
底面部２２は、図４に示すように、当該プロジェクター１を設置面に設置する際に当該
設置面に当接する４つの脚部ＦＴ（脚部ＦＴ１，ＦＴ２，ＦＴ３，ＦＴ４）を備える。こ
れら脚部ＦＴ１〜ＦＴ４のそれぞれは、略円柱状に形成され、底面部２２の外縁に沿って
設けられている。具体的に、脚部ＦＴ１〜ＦＴ４は、上記起立部２１１Ａ〜２１１Ｄによ
り囲まれた領域Ａｒ１〜Ａｒ４のそれぞれに対応する位置に設けられている。このため、
同形状の他のプロジェクター１Ａが当該装置１０の天面部２１に積層される場合、当該他
のプロジェクター１Ａの脚部ＦＴ１〜ＦＴ４のそれぞれは、起立部２１１Ａ〜２１１Ｄの
それぞれに係合することにより、上記領域Ａｒ１〜Ａｒ４に移動を規制された状態で配置
される（図１２参照）。
なお、脚部ＦＴ１〜ＦＴ４のそれぞれは、底面部２２に設けられた孔部（図示省略）を
介して、後述する金属枠体２Ｅにねじ固定される。また、脚部ＦＴ１〜ＦＴ４のそれぞれ
は、ねじの回転操作により、金属枠体２Ｅへの螺入量、ひいては、プロジェクター１，１
Ａから投射される投射画像の位置を調整することができる。
【００３０】
［金属枠体の構成］
図５は、外装筐体２内に配置される金属枠体２Ｅを＋Ｚ方向側から見た斜視図である。
金属枠体２Ｅは、外装筐体２内に配置され、外装筐体２の強度を向上させる機能を有す
る。この金属枠体２Ｅは、略矩形状の第１枠部２Ｅ１及び略Ｕ字状の第２枠部２Ｅ２を備
える。これらのうち、第１枠部２Ｅ１は、外装筐体２内の底面部２２に対向する位置に配
置される部材である。この第１枠部２Ｅ１には、上記脚部ＦＴ１〜ＦＴ４のそれぞれが固
定される４つの螺合部２Ｅ１１が設けられている。
具体的に、第１枠部２Ｅ１の＋Ｘ方向側の端部には、上記脚部ＦＴ１，ＦＴ２が固定さ
れる２つの螺合部２Ｅ１１が設けられ、第１枠部２Ｅ１の−Ｘ方向側の端部には、上記脚
部ＦＴ３，ＦＴ４が固定される２つの螺合部２Ｅ１１が設けられている。これら螺合部２
Ｅ１１は、脚部ＦＴ１〜ＦＴ４から突出するねじ部（図示省略）に螺合する形状であり、
当該螺合部２Ｅ１１に上記ねじ部が螺合する。これにより、上記脚部ＦＴ１〜ＦＴ４のそ
れぞれは、金属枠体２Ｅ（第１枠部２Ｅ１）に＋Ｙ方向に沿う方向に移動可能に固定され
る。
【００３１】
第２枠部２Ｅ２は、第１枠部２Ｅ１の外縁から＋Ｙ方向に突出し、投射光学装置３６が
配置される側の端部が開放された略Ｕ字状の部材である。この第２枠部２Ｅ２は、外装筐
体２内の天面部２１に対向する位置に配置される。
この第２枠部２Ｅ２は、左枠部２Ｅ２１、右枠部２Ｅ２２及び中枠部２Ｅ２３を備える
。これらのうち左枠部２Ｅ２１は、左側面部２５側に位置し、上記天面部２１の他のプロ
ジェクター１Ａの脚部ＦＴ１，ＦＴ２が積層される領域Ａｒ１，Ａｒ２に対向する位置に
配置される。
【００３２】
また、右枠部２Ｅ２２は、右側面部２６側に位置し、上記天面部２１の他のプロジェク
ター１Ａの脚部ＦＴ３，ＦＴ４が設置される領域Ａｒ３，Ａｒ４に対向する位置に配置さ
れる。すなわち、金属枠体２Ｅ（第２枠部２Ｅ２）が天面部２１の上記領域Ａｒ１〜Ａｒ
４に対向する位置に配置されているので、上記他のプロジェクターの重量を当該金属枠体
２Ｅにて支持できる。
【００３３】
第１枠部２Ｅ１の＋Ｘ方向側の端部の−Ｙ方向側の面には、当該面から−Ｙ方向側に突
出し、後述するハンドル９が取り付けられる３つの突出部２Ｅ１２が設けられている。ま
た、第１枠部２Ｅ１の−Ｘ方向側の端部の−Ｙ方向側の面には、当該面から当該−Ｙ方向
側に突出し、上記ハンドル９が取り付けられる３つの突出部２Ｅ１２が設けられている。
これら突出部２Ｅ１２は、上記複数の孔部２２１に対応する位置に設けられ、ハンドル９
を介して取り付けられるねじＳ１に螺合する形状である。これにより、底面部２２を介し
て金属枠体２Ｅにハンドル９が取り付けられ、固定される。
【００３４】
また、左枠部２Ｅ２１の＋Ｙ方向側の面には、当該面から＋Ｙ方向側に突出する２つの
突出部２Ｅ２１１が設けられる。更に、右枠部２Ｅ２２の＋Ｙ方向側の面には、当該面か
ら＋Ｙ方向側に突出する２つの突出部２Ｅ２２１が設けられる。加えて、中枠部２Ｅ２３
の＋Ｙ方向側の面には、当該面から＋Ｙ方向側に突出する２つの突出部２Ｅ２３１が設け
られる。
これら突出部２Ｅ２１１，２Ｅ２２１，２Ｅ２３１は、上記複数の孔部２１２に応じた
位置に設けられている。また、これら突出部２Ｅ２１１，２Ｅ２２１，２Ｅ２３１は、上
記突出部２Ｅ１２と同様に、ハンドル９を介して取り付けられるねじＳ１に螺合する形状
であり、当該突出部２Ｅ２１１，２Ｅ２２１，２Ｅ２３１のそれぞれにねじＳ１が螺合す
る。これにより、天面部２１を介して金属枠体２Ｅにハンドル９が取り付けられ、固定さ
れる。
【００３５】
［ハンドルの構成］
図６は、本実施形態に係るプロジェクター１を構成するハンドル９の平面図であり、図
７は、ハンドル９の６面図である。なお、ハンドル９の構成に係る以下の説明において、
＋Ｘ，＋Ｙ，＋Ｚの各方向は、ハンドル９を、天面部２１を介して金属枠体２Ｅに取り付
けた場合（後述する第１取付様態、図１参照）を前提としている。
ハンドル９は、本発明の把持具に相当し、装置１０に装着され、上記プロジェクター１
を構成する。このハンドル９は、図６及び図７に示すように、本体部９１、補強部９２及
び板状部９３，９４，９５，９６を備える。
本体部９１は、複数のユーザーが把持する部位であり、第１延出部９１１、第２延出部
９１２、接続部９１３、第３延出部９１４及び第４延出部９１５を備える。これらのうち
、第１延出部９１１及び第２延出部９１２は、略同一方向に延出する部位であり、互いに
平行に＋Ｚ方向に延出する形状である。また、接続部９１３は、第１延出部９１１の−Ｚ
方向側の端部及び第２延出部９１２の−Ｚ方向側の端部を接続する。
一方、第１延出部９１１の＋Ｚ方向側の端部には、−Ｘ方向に延びる第３延出部９１４
が接続され、第２延出部９１２の＋Ｚ方向側の端部には、＋Ｘ方向に延びる第４延出部９
１５が接続されている。これら第３延出部９１４及び第４延出部９１５との間には、上記
投射光学装置３６のＸ方向に沿う方向の寸法より若干大きな隙間が設けられている。すな
わち、本体部９１は、中空状の金属製のパイプが略Ｕ字状に加工されることにより構成さ
れ、略Ｕ字状に形成されている。
【００３６】
換言すると、本体部９１の一部は、開放される形状であり、ハンドル９が装置１０に取
り付けられた際に当該開放される部分が、装置１０の投射光学装置３６側に位置するよう
に取り付けられる。これにより、投射光学装置３６から投射される画像が当該ハンドル９
（本体部９１）に被らないようになっている。
【００３７】
また、本体部９１は、上記構成により４つの角部ＣＲ１〜ＣＲ４を備え、当該角部ＣＲ
１〜ＣＲ４の近傍に＋Ｙ方向側に湾曲する４つの湾曲部９１１１，９１１２，９１２１，
９１２２を有する。具体的に、第１延出部９１１及び第３延出部９１４の接続部位に位置
する湾曲部９１１１は、＋Ｚ方向に向かうに従って＋Ｙ方向に湾曲し、第１延出部９１１
及び接続部９１３の接続部位に位置する湾曲部９１１２は、−Ｚ方向に向かうに従って＋
Ｙ方向に湾曲している。
【００３８】
同様に、第２延出部９１２及び第４延出部９１５の接続部位に位置する湾曲部９１２１
は、＋Ｚ方向に向かうに従って＋Ｙ方向に湾曲し、第２延出部９１２及び接続部９１３の
接続部位に位置する湾曲部９１２２は、−Ｚ方向に向かうに従って＋Ｙ方向に湾曲してい
る。すなわち、ハンドル９が装置１０に取り付けられた際に、第１延出部９１１及び第２
延出部９１２よりも接続部９１３、第３延出部９１４及び第４延出部９１５が＋Ｙ方向側
（装置１０から離れる方向）に位置するように設定されている。換言すると、本体部９１
の４つの角部ＣＲ近傍は、第１延出部９１１及び第２延出部９１２よりも＋Ｙ方向（装置
１０から離れた）側に位置するように設定されている。
これにより、装置１０と接続部９１３、第３延出部９１４及び第４延出部９１５との隙
間が大きくなるので、当該隙間が大きい部位を複数のユーザーが把持しやすくなる。
【００３９】
また、第１延出部９１１には、２つの孔部Ｈ１が形成され、第２延出部９１２には、２
つの孔部Ｈ２が形成され、接続部９１３には、２つの孔部Ｈ３が形成されている。これら
６つの孔部Ｈ１，Ｈ２，Ｈ３は、ＸＺ平面と平行に、かつ第１延出部９１１，第２延出部
９１２，及び接続部９１３を、それぞれ貫通するように形成されている。また、これら６
つの孔部Ｈ１，Ｈ２，Ｈ３は、上記装置１０から取り外された脚部ＦＴが接続可能に構成
される。すなわち、６つの孔部Ｈ１，Ｈ２，Ｈ３は、本発明の固定部に相当する。
なお、孔部Ｈ１〜Ｈ３に脚部ＦＴが取り付けられる態様については、後述する。
【００４０】
補強部９２は、本体部９１を構成する第１延出部９１１及び第２延出部９１２を接続し
、当該本体部９１を補強する。この補強部９２の両端近傍には、本発明の取付部に相当す
る孔部９２１，９２２が形成されている。この孔部９２１，９２２には、ねじＳ１（図８
参照）が挿通される。本実施形態では、ねじＳ１は、上記装置１０の天面部２１の複数の
孔部２１２のうち、対応する孔部を挿通し、上記金属枠体２Ｅの突出部２Ｅ２１１に螺合
する。これにより、補強部９２が装置１０の＋Ｙ方向側に固定される。
【００４１】
板状部９３〜９６は、本体部９１の４つの角部ＣＲ１〜ＣＲ４のそれぞれに設けられて
いる。具体的に、板状部９３は、角部ＣＲ１から＋Ｙ方向に延出し、当該角部ＣＲ１の内
側に延出する略矩形状の板状部であり、当該角部ＣＲ１に接合されている。また、板状部
９４は、角部ＣＲ２から＋Ｙ方向に延出し、当該角部ＣＲ２の内側に延出する略矩形状の
板状部であり、当該角部ＣＲ２に接合されている。更に、板状部９５は、角部ＣＲ３から
＋Ｙ方向に延出し、当該角部ＣＲ３の内側に延出する略矩形状の板状部であり、当該角部
ＣＲ３に接合されている。加えて、板状部９６は、角部ＣＲ４から＋Ｙ方向に延出し、当
該角部ＣＲ４の内側に延出する略矩形状の板状部であり、当該角部ＣＲ４に接合されてい
る。
【００４２】
すなわち、このような板状部９３〜９６は、ハンドル９を装置１０に取り付ける際に、
当該装置１０の天面部２１及び底面部２２の角部のそれぞれに対応する位置に設けられて
いる。また、これら板状部９３〜９６のそれぞれには、本発明の取付部に相当する孔部９
３１，９４１，９５１，９６１が形成されている。これら孔部９３１，９４１，９５１，
９６１には、ねじＳ１（図８参照）が挿通される。
【００４３】
［ハンドルの取付態様（第１取付態様）］
上記ねじＳ１は、上記装置１０の天面部２１の複数の孔部２１２のうち対応する孔部を
挿通し、上記金属枠体２Ｅの突出部２Ｅ２１１及び２Ｅ２２１に螺合する。これにより、
本体部９１の上記４点が上記補強部９２の２点と合わせて、天面部２１に固定される。従
って、ハンドル９が装置１０の天面部２１に確実に取り付けられる。
なお、ハンドル９が装置１０の天面部２１に取り付けられた態様をハンドル９の第１取
付態様（図１参照）とし、以下に当該第１取付態様とは異なる取付態様について説明する
。
【００４４】
［第２取付態様］
図８は、ハンドル９が底面部２２に取り付けられたプロジェクター１を示す斜視図であ
る。
プロジェクター１を構成する装置１０の底面部２２には、図８に示すように、ハンドル
９が固定されている。このハンドル９は、天面部２１に取り付けられる方向とは反対方向
に向けた状態で底面部２２に取り付けられる。このため、ハンドル９が装置１０の底面部
２２に取り付けられた際に、第１延出部９１１及び第２延出部９１２よりも接続部９１３
、第３延出部９１４及び第４延出部９１５が−Ｙ方向側（装置１０から離れた位置）に位
置するように設定されている。換言すると、本体部９１の４つの角部ＣＲ近傍は、第１延
出部９１１及び第２延出部９１２よりも−Ｙ方向側に位置するように設定されている。
これにより、装置１０と接続部９１３、第３延出部９１４及び第４延出部９１５との隙
間が大きくなるので、当該隙間が大きい部位を複数のユーザーが把持しやすくなる。
【００４５】
また、ハンドル９の第１延出部９１１は、装置１０の左側面部２５近傍に位置し、第２
延出部９１２は、装置１０の右側面部２６近傍に位置するため、当該プロジェクター１を
＋Ｘ方向側から見た場合に、当該第１延出部９１１及び第２延出部９１２が脚部ＦＴと重
ならないようになっている。また、プロジェクター１の設置面よりも接続部９１３、第３
延出部９１４及び第４延出部９１５が＋Ｙ方向側に位置するように設定されている。これ
らのため、左右側面部２５，２６側から脚部ＦＴの回転操作が容易に実行でき、装置１０
から投射される投射画像の位置を容易に設定できる。
【００４６】
［第３取付態様］
図９は、２つのハンドル９，９Ａが装置１０の天面部２１及び底面部２２のそれぞれに
取り付けられたプロジェクター１を示す斜視図である。
プロジェクター１を構成する装置１０の天面部２１及び底面部２２のそれぞれには、図
９に示すように、ハンドル９及び当該ハンドル９と同形状のハンドル９Ａが取り付けられ
る。このように、ハンドル９及びハンドル９Ａのそれぞれを装置の＋Ｙ方向側及び−Ｙ方
向側に取り付けることで、ユーザーは、ハンドル９，９Ａのいずれか、若しくは、両方を
把持できるので、プロジェクター１を容易に運搬できる。また、ユーザーが把持できる部
分が略２倍となるため、例えば４人以上が当該ハンドル９，９Ａを把持してプロジェクタ
ー１を運搬できる。
【００４７】
［第４取付態様］
図１０は、２つのハンドル９，９Ａが装置１０の天面部２１及び底面部２２のそれぞれ
に取り付けられ、かつ、これらハンドル９，９Ａに脚部ＦＴが取り付けられたプロジェク
ター１を示す斜視図である。
プロジェクター１を構成する装置１０の天面部２１及び底面部２２のそれぞれには、図
１０に示すように、ハンドル９及びハンドル９Ａが取り付けられる。また、ハンドル９及
びハンドル９Ａの孔部Ｈ３のそれぞれには、装置１０から取り外された脚部ＦＴのそれぞ
れが螺合している。このため、プロジェクター１は、背面部２４と設置面とが対向するよ
うに配置され、当該設置面に脚部ＦＴが当接する。これにより、当該プロジェクター１が
安定して設置面に設置され、当該プロジェクター１から投射される投射画像は、設置面と
は反対方向側に投射される。
【００４８】
［第５取付態様］
図１１は、２つのハンドル９，９Ａが装置１０の天面部２１及び底面部２２のそれぞれ
に取り付けられ、かつ、これらハンドル９，９Ａに脚部ＦＴが取り付けられたプロジェク
ター１を示す斜視図である。
プロジェクター１を構成する装置１０の天面部２１及び底面部２２のそれぞれには、図
１１に示すように、ハンドル９及びハンドル９Ａが取り付けられる。また、ハンドル９の
孔部Ｈ２及びハンドル９Ａの孔部Ｈ２のそれぞれには、装置１０から取り外された脚部Ｆ
Ｔのそれぞれが螺合している。このため、プロジェクター１は、左側面部２５と設置面と
が対向するように配置され、当該設置面に脚部ＦＴが当接する。これにより、当該プロジ
ェクター１が安定して設置面に設置され、当該プロジェクター１から投射される投射画像
は、設置面とは略平行に、また、第１〜第３取付様態の場合とは９０°回転した状態（所
謂ポートレート投射）で投射される。
【００４９】
［プロジェクションシステムの構成］
図１２は、本実施形態に係るプロジェクションシステム１００を＋Ｚ方向側から見た斜
視図である。
プロジェクションシステム１００は、装置１０の天面部２１にプロジェクター１が積層
されることにより構成される。このようなプロジェクションシステム１００では、装置１
０Ａの投射光学装置３６及びプロジェクター１の投射光学装置３６のそれぞれから出射さ
れた画像光がスクリーンＳＣ１上で重畳される。
【００５０】
［プロジェクターの積層方法］
このようなプロジェクションシステム１００は、例えば、以下に説明する方法により積
層される。
例えば、装置１０Ａを所定の設置面に設置した後、複数のユーザー（例えば、４人のユ
ーザー）は、装置１０の天面部２１に取り付けられたハンドル９（ハンドル９の角部ＣＲ
１〜ＣＲ４近傍）を把持してプロジェクター１持ち上げ、装置１０Ａの略直上になるよう
に維持する。次に、当該装置１０の脚部ＦＴ１，ＦＴ２側の外縁が下側になるように傾け
、当該装置１０の脚部ＦＴ１，ＦＴ２を、装置１０Ａにおける天面部２１の起立部２１１
Ａ，２１１Ｂに囲まれた領域Ａｒ１，Ａｒ２上を−Ｘ方向にスライドさせて当該起立部２
１１Ａ，２１１Ｂに係合させる。すなわち、プロジェクター１の脚部ＦＴ１，ＦＴ２のみ
起立部２１１Ａ，２１１Ｂに係合している（領域Ａｒ１，Ａｒ２に位置している）ため、
当該状態におけるプロジェクター１は、左側面部２５より右側面部２６が＋Ｙ方向側に位
置している。
【００５１】
そして、プロジェクター１の脚部ＦＴ１，ＦＴ２のみ起立部２１１Ａ，２１１Ｂに係合
している状態において、ユーザーがプロジェクター１を−Ｙ方向に移動させる（当該プロ
ジェクター１の右側面部２６を−Ｙ方向側に移動させる）と、底面部２２の脚部ＦＴ３，
ＦＴ４が装置１０Ａの天面部２１における起立部２１１Ｃ，２１１Ｄの傾斜面２１１２に
当接し、当該傾斜面２１１２をスライドし、天面部２１の領域Ａｒ３，Ａｒ４に当接する
。これにより、装置１０Ａの天面部２１上にプロジェクター１が積層され、当該プロジェ
クター１の脚部ＦＴ１〜ＦＴ４が装置１０Ａの起立部２１１Ａ〜２１１Ｄにより移動が規
制される。
なお、本実施形態では、装置１０Ａ上にプロジェクター１を積層することとしたが、こ
れに限られず、プロジェクターを複数積層するプロジェクションシステムでもよい。すな
わち、装置１０Ａに別途ハンドル９が取り付けられていてもよく、この場合、装置１０Ａ
の底面部２２に当該ハンドル９が装着されていればよい。
【００５２】
［実施形態の効果］
以上説明した本実施形態に係るプロジェクター１は、以下の効果を奏する。
ハンドル９の取付部により、当該ハンドル９がプロジェクター１の装置１０に装着され
た際に、第１延出部９１１、第２延出部９１２及び接続部９１３が当該装置１０の異なる
３方向のそれぞれに位置するので、当該３方向に位置する第１延出部９１１、第２延出部
９１２及び接続部９１３を複数のユーザー（例えば、３人以上のユーザー）が把持できる
。これによれば、プロジェクター１の装置１０の重量が、例えば、大人１人分相当以上で
あっても、３人以上のユーザーが上記ハンドル９を把持して運搬できるので、容易にプロ
ジェクター１の装置１０を運搬できる。
また、装置１０に投射光学装置３６が設けられており、接続部９１３とは反対方向側に
当該投射光学装置３６が位置するようにハンドル９が装置１０に装着されることから、投
射光学装置３６の投射方向にハンドル９の本体部９１が位置することが無いので、投射光
学装置３６から投射される投射画像を確実にスクリーンＳＣ１等の被投射面に投射できる
。
更に、本体部９１を構成する第１延出部９１１及び第２延出部９１２を接続し、当該本
体部９１を補強する補強部９２を備えているので、上記補強部９２が無い場合に比べて、
本体部９１、ひいては、ハンドル９の耐久性を向上させることができる。
【００５３】
本体部９１に設けられた４つの湾曲部９１１１，９１１２，９１２１，９１２２が装置
１０から離間する方向に湾曲しているので、当該湾曲部９１１１，９１１２，９１２１，
９１２２及び装置１０との隙間が大きくなる。これによれば、当該隙間が大きい部分（例
えば、接続部９１３、第３延出部９１４及び第４延出部９１５）を複数のユーザーが把持
し、プロジェクター１の装置１０（プロジェクター１）を容易に運搬できる。
また、湾曲部９１１１，９１１２，９１２１，９１２２は、本体部９１の端部より中央
側の位置に配置されているので、湾曲部９１１１，９１１２，９１２１，９１２２より端
部側の位置（接続部９１３、第３延出部９１４及び第４延出部９１５）をユーザーが把持
できるため、当該ハンドル９を把持しやすくすることができる。
【００５４】
更に、プロジェクター１の装置１０の底面部２２に脚部ＦＴが設けられ、かつ、当該ハ
ンドル９が当該底面部２２に固定され、装置１０の端部近傍に上記湾曲部９１１１，９１
１２，９１２１，９１２２が位置するので、当該湾曲部９１１１，９１１２，９１２１，
９１２２が設けられていない位置には、装置１０の底面部２２及び側面部２５，２６の近
傍に位置する。このため、上記装置１０の湾曲部９１１１，９１１２，９１２１，９１２
２が設けられていない位置から、ユーザーが装置１０の底面部２２に設けられた脚部ＦＴ
を容易に回転操作できる。
【００５５】
装置１０の天面部２１及び底面部２２のそれぞれに上記ハンドル９が装着された場合、
当該それぞれのハンドル９に脚部ＦＴを装着できる。この場合、例えば、装置１０の投射
方向を上向き投射、ポートレート投射等を実行する際に、本体部９１の設置面に当接する
部位に脚部ＦＴを装着することにより、安定して装置１０から投射画像を投射できる。
【００５６】
金属枠体２Ｅにハンドル９が固定されるので、例えば、合成樹脂等により構成される外
装筐体２にハンドル９が固定される場合に比べて、確実にハンドル９を装置１０に固定で
きる。従って、装置１０の運搬時に外装筐体２が破損し、当該装置１０とハンドル９との
固定が解かれ、落下等により装置１０が破損することを抑制できる。
【００５７】
また、装置１０の天面部２１及び底面部２２の少なくともいずれかにハンドル９が取り
付けられるので、プロジェクター１の用途に合わせて、ハンドル９を装着する位置を選択
できる。すなわち、本実施形態では、第１装着態様〜第５装着態様に示すように、様々な
態様にてプロジェクター１を構成でき、かつ、当該プロジェクター１を容易に運搬できる
。
【００５８】
［実施形態の変形］
本発明は、上記実施形態に限定されるものではなく、本発明の目的を達成できる範囲で
の変形、改良等は本発明に含まれるものである。
上記実施形態では、本体部９１の２つの延出部９１１，９１２のそれぞれは、互いに平
行に＋Ｚ方向に延出する形状であることとした。しかしながら、本発明は、これに限らな
い。例えば、２つの延出部９１１，９１２のそれぞれは、略同一方向に延出する形状であ
れば、若干異なる方向に延出していてもよい。
上記実施形態では、本体部９１に４つの湾曲部９１１１，９１１２，９１２１，９１２
２を設け、当該湾曲部９１１１，９１１２，９１２１，９１２２が装置１０から離間する
方向（離れる方向）に湾曲することとした。しかしながら、本発明は、これに限らない。
例えば、上記湾曲部９１１１，９１１２，９１２１，９１２２は、いずれか１つでもよい
し、２つでもよい。すなわち、１つでも湾曲部が設けられていれば、当該湾曲部９１１１
，９１１２，９１２１，９１２２のいずれかと、装置１０と、の隙間が大きくなるので、
当該隙間が大きい部分をユーザーが把持しやすくできる。また、湾曲部９１１１，９１１
２，９１２１，９１２２を設けないこととしてもよいし、５つ以上の湾曲部を設けること
としてもよい。
【００５９】
上記実施形態では、本体部９１は、略Ｕ字状であることとした。しかしながら、本発明
は、これに限らない。例えば、本体部９１は、略四角形状であってもよい。この場合であ
っても、上記実施形態に係るハンドル９と同様の効果を奏する。
【００６０】
また、上記実施形態では、湾曲部９１１１，９１１２，９１２１，９１２２が２つの第
１延出部９１１及び第２延出部９１２のそれぞれの両端部に設けられていることとした。
しかしながら、本発明は、これに限らない。例えば、湾曲部は、本体部９１のいずれの位
置に設けられてもよい。この場合であっても、当該湾曲部と装置１０との隙間が大きくな
るので、上記実施形態と同様の効果を奏することができる。
【００６１】
上記実施形態では、装置１０は、複数の脚部ＦＴを備え、ハンドル９の本体部９１は、
当該脚部ＦＴを固定する固定部として複数の孔部Ｈ１，Ｈ２，Ｈ３を備えることとした。
しかしながら、本発明は、これに限らない。例えば、装置１０は、複数の孔部Ｈ１，Ｈ２
，Ｈ３のそれぞれを備えなくてもよい。この場合、当該複数の孔部Ｈ１〜Ｈ３に代えて、
脚部ＦＴを固定する固定部を別途備えることとしてもよい。また、脚部ＦＴを取り付けな
い場合であっても、ハンドル９の本体部９１を構成する第１延出部９１１、第２延出部９
１２及び接続部９１３は、略直線上に延びる形状であるため、例えば、ハンドル９及びハ
ンドル９Ａを天面部２１及び底面部２２のいずれにも装着した状態で、設置面に設置でき
る。
【００６２】
上記実施形態では、外装筐体２内には、金属枠体２Ｅが設けられることとした。しかし
ながら、本発明は、これに限らない。例えば、金属枠体２Ｅを設けなくてもよい。この場
合、天面部２１及び底面部２２におけるハンドル９が取り付けられる領域を他の部分に比
べて厚さ寸法を拡大すればよい。この場合であっても、外装筐体２の歪みの発生を低減で
きる。また、金属枠体２Ｅは、金属により構成されなくてもよい。
【００６３】
上記実施形態では、４つの起立部２１１Ａ〜２１１Ｄを設けることとした。しかしなが
ら、本発明は、これに限らない。例えば、起立部２１１Ａ〜２１１Ｄのいずれかのみを設
けることとしてもよいし、起立部２１１Ａ〜２１１Ｄのうち２つの起立部を設けることと
してもよいし、起立部２１１Ａ〜２１１Ｄのうち３つの起立部を設けることとしてもよい
。また、起立部を設けなくてもよい。
【００６４】
上記実施形態では、起立部２１１Ａ〜２１１Ｄのそれぞれは、他のプロジェクター１Ａ
の脚部ＦＴの周縁の一部に沿う形状であった。しかしながら、本発明は、これに限らない
。例えば、起立部２１１は、上記脚部ＦＴの周縁の一部に沿わない形状であってもよい。
すなわち、起立部２１１は、脚部ＦＴの移動を規制できれば、どのような形状であっても
よい。
【００６５】
上記実施形態では、起立部２１１は、天面部２１の外縁に向けて開く形状（略半円形状
）であることとした。しかしながら、本発明は、これに限らない。例えば、起立部２１１
は、ドーナツ状に形成されていてもよい。この場合、他のプロジェクター１Ａをプロジェ
クター１の天面部２１に積層する際に、上記ドーナツ状の起立部に囲まれた領域に当該他
のプロジェクター１Ａの脚部が嵌まり込むように設置すればよい。この場合、上記実施形
態に比べて、他のプロジェクター１Ａの脚部ＦＴの移動を更に確実に規制でき、ひいては
、他のプロジェクター１Ａの移動を確実に規制できる。
【００６６】
上記実施形態では、起立部２１１Ａ〜２１１Ｄのそれぞれは、天面部２１の外縁に沿っ
て設けられることとした。しかしながら、本発明は、これに限らない。例えば、起立部２
１１Ａ〜２１１Ｄのそれぞれは、天面部２１の外縁よりも内側に配置されてもよい。この
場合、他のプロジェクター１Ａの脚部ＦＴも当該内側に配置された起立部２１１Ａ〜２１
１Ｄに対応する位置に配置されればよい。また、この場合、金属枠体２Ｅは、当該起立部
２１１Ａ〜２１１Ｄにより囲まれた上記脚部ＦＴが設置される領域に対応する形状であれ
ばよい。
【００６７】
上記実施形態では、天面部２１及び底面部２２は、略矩形状であることとした。しかし
ながら、本発明は、これに限らない。例えば、天面部２１及び底面部２２は、円形状であ
ってもよいし、楕円形状であってもよい。すなわち、天面部２１及び底面部２２の形状は
、どのような形状であってもよい。
【００６８】
上記実施形態では、天面部２１の＋Ｘ方向側の端部に起立部２１１Ａ，２１１Ｂが設け
られ、−Ｘ方向側の端部に起立部２１１Ｃ，２１１Ｄが設けられることとした。しかしな
がら、本発明は、これに限らない。例えば、＋Ｘ方向側の端部及び−Ｘ方向側の端部のい
ずれか側にのみ起立部２１１Ａ〜２１１Ｄのいずれかが設けられることとしてもよい。
【００６９】
上記実施形態では、起立部２１１Ａ〜２１１Ｄは、天面部２１から離れるに従って外装
筐体２の外側から内側に向けて傾斜する傾斜面２１１２を備えることとした。しかしなが
ら、本発明は、これに限らない。例えば、起立部２１１Ａ〜２１１Ｄのそれぞれ、若しく
は、一部の起立部が傾斜面２１１２を備えなくてもよい。
【００７０】
上記各実施形態では、色合成装置３５は、いわゆるクロスダイクロイックプリズムによ
り構成されるとした。しかしながら、本発明は、これに限らない。例えば、色合成装置３
５は、いわゆるギャップレスプリズム及びフィリップスプリズムのいずれにより構成され
てもよい。
【００７１】
上記各実施形態では、光変調装置３４（３４Ｒ，３４Ｇ，３４Ｂ）を用いることとした
。しかしながら、本発明は、これに限らない。例えば、透過型の光変調装置３４（３４Ｒ
，３４Ｇ，３４Ｂ）に代えて、反射型の光変調装置を用いてもよい。この場合、色分離装
置３２を設けることなく、色合成装置３５により、色分離及び色合成を実行するようにし
てもよい。
【００７２】
上記実施形態では、プロジェクター１は、３つの光変調装置３４（３４Ｒ，３４Ｇ，３
４Ｂ）を備えるとしたが、本発明はこれに限らない。すなわち、２つ以下、あるいは、４
つ以上の光変調装置を用いたプロジェクターにも、本発明を適用可能である。
また、入射光束を変調して画像情報に応じた画像を形成可能な光変調装置であれば、マ
イクロミラーを用いたデバイス、例えば、ＤＭＤ（Digital Micromirror Device）等を利
用したものなど、液晶以外の光変調装置を用いてもよい。
【００７３】
上記実施形態では、ハンドル９等の把持具が取り付けられる装置として、装置１０（プ
ロジェクター）を例示した。しかしながら、本発明は、これに限らない。例えば、把持具
が固定される装置は、プロジェクターに限らず、可搬機器であれば、どのような装置であ
ってもよい。
【符号の説明】
【００７４】
１，１Ａ…プロジェクター、１０，１０Ａ…装置、２…外装筐体、２Ｅ…金属枠体、２
Ｅ１２，２Ｅ２１１，２Ｅ２２１，２Ｅ２３１…突出部、３１…光源装置、３４…光変調
装置、３６…投射光学装置、９，９Ａ…ハンドル（把持具）、９１…本体部、９１１…第
１延出部（延出部）、９１１１，９１１２，９１２１，９１２２…湾曲部、９１２…第２
延出部（延出部）、９１３…接続部、９１４…第３延出部、９１５…第４延出部、９２…
補強部、９２１，９２２…孔部（取付部）、９３，９４，９５，９６…板状部、９３１，
９４１，９５１，９６１…孔部（取付部）、ＣＲ１，ＣＲ２，ＣＲ３，ＣＲ４…角部、Ｆ
Ｔ，ＦＴ１，ＦＴ２，ＦＴ３，ＦＴ４…脚部、Ｈ１，Ｈ２，Ｈ３…孔部（固定部）。
【図１】
2017129841.tif 000003
【図２】
2017129841.tif 000004
【図３】
2017129841.tif 000005
【図４】
2017129841.tif 000006
【図５】
2017129841.tif 000007
【図６】
2017129841.tif 000008
【図７】
2017129841.tif 000009
【図８】
2017129841.tif 000010
【図９】
2017129841.tif 000011
【図１０】
2017129841.tif 000012
【図１１】
2017129841.tif 000013
【図１２】
2017129841.tif 000014